(57)【要約】【課題】ノートパソコンをベッド上もしくは、床の上で横たわった状態で使用する際に、ノートパソコンを載置して任意の位置及び任意の角度に簡単にノートパソコンを配置することができるノートパソコン支持装置を提供する。【解決手段】ノートパソコンの載置台と３つの平行リンク機構と支持部と基部とカウンターウェイトからなり、第１アーム及び第２アームは旋回および上下方向回動可能であり、前もって決めた倍率のカウンターウェイトとノートパソコンとが支持部を中心として釣り合うことができるノートパソコン支持装置。【選択図】図１
2012226428.tif 000002
【特許請求の範囲】
【請求項１】
ノートパソコンや載置器機などを載置出来る載置部と、円板状の基部の外縁より棒状の支持部が上方に立ち上がりクランク状に折れ曲がって基部の中心上に伸びた支持部と、
前記載置部に載せる重さの２倍から１０倍までの前もって設定された倍率の重さのカウンターウェイトと、
対向するリンクが等長の四節リンク構造で、第１アーム（２０）と第１アームの平行リンク（２１）を支軸（Ａ）と支軸（Ｂ）によって、上下方向に回動可能に構成し、前記支持部の上端部に設けられた第１平行リンク機構と、
対向するリンクが等長の四節リンク構造で、第１平行リンク機構の平行リンク（２２）が共通の部材で構成され、第１アーム（２０）と第２アーム（３０）は連結され、平行リンク（３２）には載置部が接続する構成とした第２平行リンク機構と、
対向するリンクが等長の四節リンク構造で構成され、第１平行リンク機構の第１アームの平行リンク（２１）が共通の部材で構成され、平行リンク（４３）の端部（Ｆ）にカウンターウェイトが接続され、平行リンク（４２）は第２平行リンク機構の平行リンク（３１）と同じ直線の部材で構成された第３平行リンク機構と、を具備し、
第１アームの平行リンク（２１）の支軸（Ｂ）から支軸（Ｃ）までの長さは、支軸（Ｂ）から支軸（Ｄ）間の長さの前記前もって設定された倍率の長さとし、
第２アームの平行リンク（３１）の長さは、第３平行リンク機構の平行リンク（４２）の長さの前記前もって設定された倍率の長さとし、
前記載置部に載せたノートパソコンなどを上下方向や水平方向に移動させても、前記載置部の重さと前記前もって設定された倍率のカウンターウェイトの重さが前記支軸（Ａ）（Ｂ）を中心として釣り合いが取れるように構成したことを特徴としたノートパソコン支持装置。
【発明の詳細な説明】
【技術分野】
【０００１】
本発明は、ノートパソコンをベッド上もしくは、横たわった状態で使用する際に、ノートパソコンを載置して使用されるノートパソコン支持装置に関する。
【背景技術】
【０００２】
近年において、めまぐるしいパソコンに係る技術の発展により、パソコンは小型化、高性能化され、最近は、省スペースで操作でき、かつ持ち運びができるノート型のパソコン（ノートパソコン）が、個人用だけでなく、業務用においても、広く採用され我々の必需品となった。現在では、ノートパソコンなしでは、事務処理はできず、多用途にわたって必要不可欠なものとなった。そうした中で、ノートパソコンを使用する時間が多くなり、疲労を軽減するために、ベッド上もしくは、横たわった状態でノートパソコンを使用するという要望が増えてきた。また、病院などのベッドにおいても、横になった姿勢でノートパソコンまたはディスプレイなどをセットして、見たいという要望が増えてきた。
【０００３】
この様な問題を解決するために、様々な装置の開発がなされている。たとえば特許第４３４１８５８号が開示されている。このノートパソコンスタンドは、カウンターウェイトによってノートパソコンの重量を軽減し、３次元的な移動を可能としている。
【特許文献１】特許第４３４１８５８号
【発明の開示】
【発明が解決しようとする課題】
【０００４】
しかし、上記のようなスタンドは、ノートパソコンとカウンターウェイトが完全に釣り合っていないため、固定装置で固定しないとノートパソコンが浮き上がってしまうことがあった。また、少しの移動においても固定ノブを解除し、移動させてまた固定ノブを締め付ける作業をしなければならなかった。
【課題を解決するための手段】
【０００５】
本発明のノートパソコン支持装置は、ノートパソコンや載置器機などを載置出来る載置部と、円板状の基部の外縁より棒状の支持部が上方に立ち上がりクランク状に折れ曲がって基部の中心上に伸びた支持部と、
前記載置部に載せる重さの２倍から１０倍までの前もって設定された倍率の重さのカウンターウェイトと、
対向するリンクが等長の四節リンク構造で、第１アーム（２０）と第１アームの平行リンク（２１）を支軸（Ａ）と支軸（Ｂ）によって、上下方向に回動可能に構成し、前記支持部の上端部に設けられた第１平行リンク機構と、
対向するリンクが等長の四節リンク構造で、第１平行リンク機構の平行リンク（２２）が共通の部材で構成され、第１アーム（２０）と第２アーム（３０）は連結され、平行リンク（３２）には載置部が接続する構成とした第２平行リンク機構と、
対向するリンクが等長の四節リンク構造で構成され、第１平行リンク機構の第１アームの平行リンク（２１）が共通の部材で構成され、平行リンク（４３）の端部（Ｆ）にカウンターウェイトが接続され、平行リンク（４２）は第２平行リンク機構の平行リンク（３１）と同じ直線の部材で構成された第３平行リンク機構と、を具備し、
第１アームの平行リンク（２１）の支軸（Ｂ）から支軸（Ｃ）までの長さは、支軸（Ｂ）から支軸（Ｄ）間の長さの前記前もって設定された倍率の長さとし、
第２平行リンク機構の平行リンク（３１）の長さは、第３平行リンク機構の平行リンク（４２）の長さの前記前もって設定された倍率の長さとし、
前記載置部に載せたノートパソコンなどを上下方向や水平方向に移動させても、前記載置部の重さと前記前もって設定された倍率のカウンターウェイトの重さが前記支軸（Ａ）（Ｂ）を中心として釣り合いが取れるように構成した。
【発明の効果】
【０００６】
本発明のノートパソコン支持装置は、重心がノートパソコン側とカウンターウェイト側で釣り合っているために、取っ手を持って位置調整のために引いたり押したりする動作においても安定しているので、倒れるという不安感がまったくなくなった。また、各支軸に多少の摩擦機能を持たせることによって、固定装置を使用しなくても、移動が可能になった。
【発明を実施するための最良の形態】
【０００７】
本発明の実施の形態を図に基づいて説明する。図１は本発明のノートパソコン支持装置の斜視図である。２０は第１アーム、２１は第１アームの平行リンク、３０は第２アーム、３１は第２アームの平行リンク、４１は第３アーム、４０はカウンターウェイト、５０は載置台、６０は支持部、７０は基部、８０は固定ノブ、９０はノートパソコン、Ｈは旋回支軸である。
【０００８】
本発明のノートパソコン支持装置１０は、基部７０の外縁から支持部６０が伸びてクランクに折れ曲がり、その上部の旋回支軸Ｈに旋回可能に第１アーム２０と第２アーム３０が形成されている。第１アーム２０及び第２アーム３０は平行リンク機能を備えており、旋回支軸Ｈと、第１アーム２０の平行リンク２２と、第２アーム３０の平行リンク３２とは常に平行な状態にある。第２アーム３０の平行リンク３２には、ノートパソコン９０を支持する載置台５０が取り付けられている。第１アーム２０と第２アーム３０は、折る伸ばす動作によって載置台５０を垂直方向への回動を可能としている。また、旋回支軸Ｈによって第１アーム２０と第２アーム３０は、旋回を可能としている。載置台５０とノートパソコン９０はボールジョイントで接続されており、回動可能にかつ任意の位置で固定可能に構成されている。カウンターウェイト４０は、旋回支軸Ｈに重心の中心位置を持ってくるために，第３アームの端部に平行リンクを介して取り付けられている。
【０００９】
図２は、本発明のノートパソコン支持装置の釣り合い機構図である。Fは、モーメントを表すもので支点からの距離と重力をかけたものである。図２において、平行リンク３２にノートパソコン９０が取り付けられており、ノートパソコンの重量はＧとする。また、平行リンク４３の先端にカウンターウェイト４０がノートパソコンの重量の４倍の４Ｇの重量で取り付けられている。図２においては、前もって設定された倍率が４倍であるが、２倍から１０倍までの任意の倍率でかまわない。
第１平行リンク機構は、対向するリンクが等長の四節リンク構造で、第１アーム２０、第１アームの平行リンク２１、平行リンク２２、平行リンク２３で構成されている。第１平行リンク機構は、支軸Ａと支軸Ｂによって、上下方向に回動可能に構成し、前記第１アームの平行リンク２１の支軸Ｂから支軸Ｃまでの長さは、支軸Ｂから支軸Ｄ間の長さの前記前もって設定された倍率の長さとする。図２においては、前もって設定された倍率が４倍である。
第２平行リンク機構は、対向するリンクが等長の四節リンク構造で、第２アーム３０、第２アームの平行リンク３１、平行リンク２２、平行リンク３２で構成されている。第１平行リンク機構の平行リンク２２が共通の部材で構成され、第１アーム２０と第２アーム３０は軸によって接続され、平行リンク３２には載置部が接続する構成としている。
第３平行リンク機構は、対向するリンクが等長の四節リンク構造で、第３アーム４１、第１アームの平行リンク２１、平行リンク４２、平行リンク４３で構成されている。第１平行リンク機構の第１アームの平行リンク２１が共通の部材で構成され、平行リンク４３の端部Ｆにカウンターウェイトが接続され、平行リンク４２は第２平行リンク機構の平行リンク３１と同じ直線の部材で構成され、前記第２アームの平行リンク３１の長さは、前記平行リンク４２の長さの前記前もって設定された倍率の長さとする。図２においては、前もって設定された倍率が４倍である。
図２において、第１アームの平行リンク２１の支軸Ｂから支軸Ｃまでの長さを４Ｘ、第１アームの平行リンク２１の支軸Ｂから支軸Ｄまでの長さをＸとし、第２アームの平行リンク３１の長さを４Ｙ、平行リンク４２の長さをＹとし、第１アームの垂直からの傾斜角度をφ、第２アームの垂直からの傾斜角度をθとすると、左右の各モーメントＦは、図中の計算式になり、ノートパソコン側のモーメントとカウンターウェイト側のモーメントが、前記支軸Ａ、支軸Ｂを中心として釣り合いが取れるようになる。
【００１０】
固定機能においては、各支軸に摩擦機能を持たせることによって固定ノブを使用しなくとも移動が可能になった。この摩擦機能は、スプリングなどで支軸を押圧しても良い。また、扇風機の方向固定機能のようなものでも可能である。この固定機能は、一方にボールベアリングをスプリングで押圧しておいて、他方にある一定の角度ごとにボールベアリングが入る溝を設け、ある一定の力以上で押すことによって、ベアリングが溝に入ったり出たりして角度が変わる装置である。これは、少しの力では動かないように設定された方向固定装置である。このような装置を装備することによって、固定ノブを使用しなくても移動可能になる。
【図面の簡単な説明】
【００１１】
【図１】本発明のノートパソコン支持装置の斜視図である。
【図２】本発明のノートパソコン支持装置の釣り合い機構図である。
【符号の説明】
【００１２】
１０    ノートパソコン支持装置
２０    第１アーム
２１    第１アームの平行リンク
３０    第２アーム
３１    第２アームの平行リンク    
４０    カウンターウェイト
４１    第３アーム
５０    載置台    
６０    支持部  
７０    基部    
８０    固定ノブ
９０    ノートパソコン
【図１】
2012226428.tif 000003
【図２】
2012226428.tif 000004
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
ノートパソコンや載置器機などを載置出来る載置部と、円板状の基部の外縁より棒状の支持部が上方に立ち上がりクランク状に折れ曲がって基部の中心上に伸びた支持部と、
前記載置部に載せる重さの２倍から１０倍までの前もって設定された倍率の重さのカウンターウェイトと、
対向するリンクが等長の四節リンク構造で、前記支持部の上端部に支軸（Ａ）及び支軸（Ｂ）によって軸支され、第１アーム（２０）に設けられた支軸（Ａ）の位置は前もって設定された倍率の長さで配分された位置に設けられ、第１アームの平行リンク（２１）に設けられた支軸（Ｂ）の位置も、前もって設定された倍率の長さで配分された位置に設けられ、上下方向に回動可能に設けられた第１平行リンク機構と、
対向するリンクが等長の四節リンク構造で、第１平行リンクの上方端部に接続され、第１平行リンク機構の上方端部の平行リンク（２２）を、第２平行リンク機構の共通の平行リンク部材とし、接続された反対側端部には載置部が設けられ、第１アームの平行リンク（２１）と第２アームの平行リンク（３１）は、支軸（Ｃ）で軸支され、上下方向回動可能に設けられた第２平行リンク機構と、
対向するリンクが等長の四節リンク構造で構成され、第１平行リンク機構の第１アームの平行リンク（２１）が共通の部材で構成され、第３平行リンク機構の平行リンク（４３）の一方の端部（Ｆ）にカウンターウェイトが接続され、他方の端部は支軸（Ｄ）によって第１平行リンク機構の第１アームの平行リンク（２１）と軸支され、第３平行リンク機構の平行リンク（４２）は第２平行リンク機構の平行リンク（３１）と同じ直線の部材で構成され、第２平行リンク機構の第２アームの平行リンク（３１）の長さは、第３平行リンク機構の平行リンク（４２）の長さの前もって設定された倍率の長さで設けられ、第２平行リンク機構の動作に対応して動く第３平行リンク機構と、を具備し、

前記載置部に載せたノートパソコンなどを上下方向や水平方向に移動させても、前記載置部の重さと前記前もって設定された倍率のカウンターウェイトの重さが前記支軸（Ａ）（Ｂ）を中心として釣り合いが取れるように構成したことを特徴としたノートパソコン支持装置。